(57)【要約】【課題】各々にスピーカの接続された複数のＡＶアンプを用いて１つの音響コンテンツを再生する場合における音信号の意図せぬ出力タイミングのずれを低減する。【解決手段】ＡＶアンプ４ａの制御部１１ａは、音信号発生装置３から入力された音信号がＤＳＰ１５ａによるデコード処理ＺＤ、ＤＳＰ１６ａによる音響処理ＺＥａおよび遅延処理ＺＸａを経てスピーカ１Ｃ、スピーカ１Ｌ、スピーカ１Ｒ、サブウーファ１ＳＷに出力されるタイミングと、ＤＳＰ１５ａによるデコード処理ＺＤおよび遅延処理ＺＸｂの後、ＡＶアンプ４ｂに出力され、ＤＳＰ１６ｂによる音響処理ＺＥｂを経てスピーカ１ＬＳ、スピーカ１ＲＳに出力されるタイミングとを一致させるように、遅延処理ＺＸａおよび遅延処理ＺＸｂのディレイタイムを決定する。【選択図】図１
2014027531.tif 000002
【特許請求の範囲】
【請求項１】
音信号を取得する音信号取得手段と、
前記音信号取得手段により取得された音信号を処理するプロセッサと、
前記プロセッサにより処理された音信号を出力する第１の出力手段と、
音信号を、自機とは異なる他のＡＶアンプに出力する第２の出力手段と、
制御手段と
を備え、
前記制御手段は、前記他のＡＶアンプに対し前記他のＡＶアンプが音信号に対し行うべき処理を指示し、
前記制御手段は、前記プロセッサの処理を経て前記第１の出力手段から出力される音信号が前記プロセッサを通過するために要する時間を含む時間を示す第１の時間データと、前記他のＡＶアンプの処理を経て前記他のＡＶアンプから出力される音信号が前記他のＡＶアンプが有する音信号を処理するプロセッサを通過するために要する時間を含む時間を示す第２の時間データとを取得し、
前記制御手段は、前記第１の時間データおよび前記第２の時間データに基づき算出したディレイタイムで、前記第１の出力手段から音信号が出力されるタイミングもしくは前記第２の出力手段から音信号が出力されるタイミングを遅延させる指示を行なう
ＡＶアンプ。
【請求項２】
音信号を取得する音信号取得手段と、
前記音信号取得手段により取得された音信号を処理するプロセッサと、
音信号を出力する第１の出力手段と、
音信号を、自機とは異なる他のＡＶアンプに出力する第２の出力手段と、
制御手段と
を備え、
前記制御手段は、前記他のＡＶアンプに対し前記他のＡＶアンプが音信号に対し行うべき処理を指示し、
前記制御手段は、前記プロセッサの処理を経て前記第１の出力手段から出力される音信号が自機を通過するために要する時間を含む時間を示す第１の時間データと、前記他のＡＶアンプの処理を経て前記他のＡＶアンプから出力される音信号が前記他のＡＶアンプが有する音信号を処理するプロセッサを通過するために要する時間を含む時間を示す第２の時間データとを取得し、
前記制御手段は、前記第１の時間データおよび前記第２の時間データに基づき算出したディレイタイムで、前記第１の出力手段から音信号が出力されるタイミングもしくは前記他のＡＶアンプから音信号が出力されるタイミングを遅延させる指示を行なう
ＡＶアンプ。
【請求項３】
前記制御手段は、テスト用の音信号が自機を通過するために要する時間を計測することにより前記第１の時間データを取得し、
前記制御手段は、テスト用の音信号が前記他のＡＶアンプを通過するために要する時間を計測することにより前記第２の時間データを取得する
請求項１または２に記載のＡＶアンプ。
【請求項４】
マイクから音信号の入力を受ける入力手段
を備え、
前記制御手段は、テスト用の音信号が自機を通過し前記第１の出力手段に直接的もしくは間接的に接続されているスピーカと前記マイクとを経由して前記入力手段に到達するために要する時間を計測することにより前記第１の時間データを取得し、
前記制御手段は、前記第２の出力手段から前記他のＡＶアンプに出力されたテスト用の音信号が前記他のＡＶアンプを通過し前記ＡＶアンプに直接的もしくは間接的に接続されているスピーカと前記マイクとを経由して前記入力手段に到達するために要する時間を計測することにより前記第２の時間データを取得する
請求項１または２に記載のＡＶアンプ。
【請求項５】
音信号と、当該音信号に行うべき処理を指示する指示データとを自機とは異なる他のＡＶアンプから取得する取得手段と、
前記取得手段により取得された音信号を前記指示データに従い処理するプロセッサと、
前記プロセッサにより処理された音信号を出力する出力手段と
を備え、
前記指示データは前記出力手段が音信号を出力するタイミングの遅延を指示する
ＡＶアンプ。
【発明の詳細な説明】
【技術分野】
【０００１】
この発明は、ＡＶアンプが備えるプロセッサの処理を制御する技術に関する。
【背景技術】
【０００２】
ホームシアターシステムなどの音響システムに広く採り入れられている技術の一つにマルチチャネルサラウンド技術がある。マルチチャネルサラウンド技術は、聴者の周囲に配置された複数のスピーカから放音する音を制御することで臨場感にあふれた音場を作り上げる技術である。
【０００３】
この種の技術を開示した文献として例えば特許文献１がある。特許文献１に開示された出力制御システムは、テレビジョン受像機と、この受像機とＨＤＭＩ（High-Definition Multimedia Interface）（登録商標）ケーブルにより接続されたＡＶアンプと、このＡＶアンプとＨＤＭＩケーブルにより接続されたオーディオアンプと、ＡＶアンプ及びオーディオアンプに複数個ずつ接続されたスピーカとを有する。
【０００４】
このシステムにおけるＡＶアンプは、テレビジョン受像機から取得するＥＤＩＤ（Extended Display Identification Data）からそのテレビジョン受像機のレイテンシを特定し、音信号にこのレイテンシに相当する遅延を与えることを指示する制御信号を自身の配下の各オーディアンプに供給する。この出力制御システムによると、テレビジョン受像機からＡＶアンプを介してスピーカに供給される音信号の発音時刻とテレビジョン受像機からＡＶアンプ及びオーディオアンプを介してスピーカに供給される音信号の発音時刻をテレビジョン受像機の再生画像と同期させることができる。
【先行技術文献】
【特許文献】
【０００５】
【特許文献１】特開２０１１−１２４９２５号公報
【発明の概要】
【発明が解決しようとする課題】
【０００６】
マルチチャネルサラウンドを実現する音響システムに用いられるＡＶアンプの中には、音響処理向けに作り込まれたプロセッサを搭載したものがある。この種のＡＶアンプ内のプロセッサを音信号が通過するために要する時間は、各プロセッサにおけるバッファの使用方法や処理対象として与えられる音信号のサンプリング周波数などによって様々に異なる。
【０００７】
ところで、本願発明者は複数のＡＶアンプ間を連係動作させ、各々のＡＶアンプが備えるプロセッサに対し、同じ音響コンテンツに含まれる音信号に音響効果を付加する処理を並列的に行わせることにより各ＡＶアンプが備えるプロセッサを有効活用し、より望ましい音場を作り上げる音響システムを発明した。
【０００８】
上記のような複数のＡＶアンプのプロセッサを用いて同じ音響コンテンツの音信号に対し並列的に音響効果を付加する処理を行う場合、上述のように処理対象の音信号のサンプリング周波数や処理内容等に応じて各ＡＶアンプを音信号が通過するために要する時間が異なるため、ＡＶアンプに固定的に与えられているＥＤＩＤ情報に基づくだけでは、それらの複数のＡＶアンプの各々から各スピーカに音信号が出力されるタイミング間に意図せぬずれが生じる。
【０００９】
その結果、各スピーカから放音される音が聴者に到達するタイミング間に意図せぬずれが生じ、聴者が違和感を覚えたり、聴者が本来の音の定位感を感じることができなくなったりする。
【００１０】
本発明は上記のような事情に鑑み、音響コンテンツを各々にスピーカが接続された複数のＡＶアンプを用いて再生する際に、音信号が各ＡＶアンプを通過するために要する時間の差に起因する聴者への音の到達タイミングの意図せぬずれを低減する技術を提供することを目的とする。
【課題を解決するための手段】
【００１１】
上記課題を解決するため、本発明は、音信号を取得する音信号取得手段と、前記音信号取得手段により取得された音信号を処理するプロセッサと、前記プロセッサにより処理された音信号を出力する第１の出力手段と、音信号を、自機とは異なる他のＡＶアンプに出力する第２の出力手段と、制御手段とを備え、前記制御手段は、前記他のＡＶアンプに対し前記他のＡＶアンプが音信号に対し行うべき処理を指示し、前記制御手段は、前記プロセッサの処理を経て前記第１の出力手段から出力される音信号が前記プロセッサを通過するために要する時間を含む時間を示す第１の時間データと、前記他のＡＶアンプの処理を経て前記他のＡＶアンプから出力される音信号が前記他のＡＶアンプが有する音信号を処理するプロセッサを通過するために要する時間を含む時間を示す第２の時間データとを取得し、前記制御手段は、前記第１の時間データおよび前記第２の時間データに基づき算出したディレイタイムで、前記第１の出力手段から音信号が出力されるタイミングもしくは前記第２の出力手段から音信号が出力されるタイミングを遅延させる指示を行なうＡＶアンプを提供する。
【００１２】
また、本発明は、音信号を取得する音信号取得手段と、前記音信号取得手段により取得された音信号を処理するプロセッサと、音信号を出力する第１の出力手段と、音信号を、自機とは異なる他のＡＶアンプに出力する第２の出力手段と、制御手段とを備え、前記制御手段は、前記他のＡＶアンプに対し前記他のＡＶアンプが音信号に対し行うべき処理を指示し、前記制御手段は、前記プロセッサの処理を経て前記第１の出力手段から出力される音信号が自機を通過するために要する時間を含む時間を示す第１の時間データと、前記他のＡＶアンプの処理を経て前記他のＡＶアンプから出力される音信号が前記他のＡＶアンプが有する音信号を処理するプロセッサを通過するために要する時間を含む時間を示す第２の時間データとを取得し、前記制御手段は、前記第１の時間データおよび前記第２の時間データに基づき算出したディレイタイムで、前記第１の出力手段から音信号が出力されるタイミングもしくは前記他のＡＶアンプから音信号が出力されるタイミングを遅延させる指示を行なうＡＶアンプを提供する。
【００１３】
このようなＡＶアンプによれば、複数のＡＶアンプが連係動作して一つの音響コンテンツの再生を行う音響システムにおいてマスタアンプとして機能することにより、各ＡＶアンプを音信号が通過するために要する時間の差に起因する音信号の出力タイミングのずれが低減される。
【００１４】
また、上記のＡＶアンプにおいて、前記制御手段は、テスト用の音信号が自機を通過するために要する時間を計測することにより前記第１の時間データを取得し、前記制御手段は、テスト用の音信号が前記他のＡＶアンプを通過するために要する時間を計測することにより前記第２の時間データを取得する、という構成が採用されてもよい。
【００１５】
また、上記のＡＶアンプにおいて、マイクから音信号の入力を受ける入力手段を備え、前記制御手段は、テスト用の音信号が自機を通過し前記第１の出力手段に直接的もしくは間接的に接続されているスピーカと前記マイクとを経由して前記入力手段に到達するために要する時間を計測することにより前記第１の時間データを取得し、前記制御手段は、前記第２の出力手段から前記他のＡＶアンプに出力されたテスト用の音信号が前記他のＡＶアンプを通過し前記ＡＶアンプに直接的もしくは間接的に接続されているスピーカと前記マイクとを経由して前記入力手段に到達するために要する時間を計測することにより前記第２の時間データを取得する、という構成が採用されてもよい。
【００１６】
これらのＡＶアンプによれば、テスト用の音信号を実際に自機（マスタアンプ）および他のＡＶアンプ（スレーブアンプ）において処理させた場合の所要時間が計測され、その計測結果に基づき、音信号の出力タイミングの調整のためのディレイタイムの算出が行われる。その結果、ＡＶアンプは音信号が各ＡＶアンプを通過するために要する時間を示す処理時間データを予め記憶しておいたり他の装置から受信したりする必要がない。
【００１７】
また、本発明は、音信号と、当該音信号に行うべき処理を指示する指示データとを自機とは異なる他のＡＶアンプから取得する取得手段と、前記取得手段により取得された音信号を前記指示データに従い処理するプロセッサと、前記プロセッサにより処理された音信号を出力する出力手段とを備え、前記指示データは前記出力手段が音信号を出力するタイミングの遅延を指示するＡＶアンプを提供する。
【００１８】
このようなＡＶアンプによれば、複数のＡＶアンプが連係動作して一つの音響コンテンツの再生を行う音響システムにおいてスレーブアンプとして機能することにより、各ＡＶアンプを音信号が通過するために要する時間の差に起因するスピーカに対する音信号の出力タイミングのずれが低減される。
【図面の簡単な説明】
【００１９】
【図１】本発明の第１実施形態にかかるＡＶアンプを含む音響システムの構成例を示す図である。
【図２】本発明の第１実施形態にかかるＡＶアンプに記憶された遅延パターンテーブルのデータ構造を模式的に示した図である。
【図３】本発明の第１実施形態にかかるＡＶアンプにおいて行われるディレイタイムの決定方法を説明するための図である。
【図４】本発明の第１実施形態にかかるＡＶアンプにおいて行われるディレイタイムの決定方法を説明するための図である。
【図５】本発明の第２実施形態にかかるＡＶアンプを含む音響システムの構成例を示す図である。
【図６】本発明の第３実施形態にかかるＡＶアンプを含む音響システムの構成例を示す図である。
【図７】本発明の第４実施形態にかかるＡＶアンプを含む音響システムの構成例を示す図である。
【図８】本発明の第４実施形態にかかるＡＶアンプにおいて行われるディレイタイムの決定方法を説明するための図である。
【図９】本発明の第４実施形態にかかるＡＶアンプにおいて行われるディレイタイムの決定方法を説明するための図である。
【図１０】本発明の第４実施形態にかかるＡＶアンプにおいて行われるディレイタイムの決定方法を説明するための図である。
【図１１】本発明の第４実施形態にかかるＡＶアンプにおいて行われるディレイタイムの決定方法を説明するための図である。
【図１２】本発明の実施形態にかかるＡＶアンプを含む音響システムの構成例を示す図である。
【発明を実施するための形態】
【００２０】
以下、図面を参照し、この発明の実施の形態を説明する。
＜第１実施形態＞
図１は、本発明の第１実施形態にかかるＡＶアンプ４ａおよびＡＶアンプ４ｂを含む音響システム５０の構成例を示す図である。本実施形態である音響システム５０は、音声付き映像コンテンツの再生音を居室９０内の視聴者ＬＳＮに聴取させるシステムである。この音響システム５０は、テレビ９１とともに居室９０内に設置して利用される。
【００２１】
図１に示すように、本実施形態である音響システム５０は、居室９０の視聴者ＬＳＮから等距離位置の５箇所（具体的には、視聴者ＬＳＮの前方中央（テレビ９１の下）、前方左側、前方右側、後方左側、後方右側）の各々に配置された５台のメインスピーカであるスピーカ１Ｃ、スピーカ１Ｌ、スピーカ１Ｒ、スピーカ１ＬＳおよびスピーカ１ＲＳと、居室９０の任意の場所に配置されたサブウーファ１ＳＷ（メインスピーカの放音能力が劣る低周波数帯域の放音を行うスピーカ）と、ＡＶ（Audio Visual）コンテンツを再生する装置である音信号発生装置３と、各々がＤＳＰ（Digital Signal Processor）を内蔵するＡＶアンプ４ａおよびＡＶアンプ４ｂを有する。
【００２２】
以下、スピーカ１Ｃ、スピーカ１Ｌ、スピーカ１Ｒ、スピーカ１ＬＳ、スピーカ１ＲＳおよびサブウーファ１ＳＷを総称してスピーカ群１と呼ぶ。
【００２３】
ＡＶアンプ４ａおよびＡＶアンプ４ｂは互いに連係動作し、同じＡＶコンテンツに含まれる音信号を並列的に処理しスピーカに出力することで、居室９０内に１つの音場を作り出す機能を備えている。そのため、音響システム５０においては、例として、ＡＶアンプ４ａにスピーカ１Ｃ、スピーカ１Ｌ、スピーカ１Ｒおよびサブウーファ１ＳＷが接続され、ＡＶアンプ４ｂにスピーカ１ＬＳおよびスピーカ１ＲＳが接続されている。また、テレビ９１はＡＶアンプ４ａに接続されている。
【００２４】
音信号発生装置３は、ＡＶコンテンツの映像信号と、同じＡＶコンテンツの音信号を記録媒体８０から読み出し、映像信号に関してはＨＤＭＩ出力端子９からＡＶアンプ４ａに対し出力するとともに、音信号に関してはＨＤＭＩ出力端子９からＡＶアンプ４ａに対し出力する。以下、音信号発生装置３が記録媒体８０から読み出す音信号は５．１チャンネルの音信号であり、それらのチャンネル毎の音信号を各々、音信号ＭＤC、ＭＤL、ＭＤR、ＭＤLS、ＭＤRSおよびＭＤSW（ただし、下付文字は各スピーカに応じたチャンネルの記号を示す）と呼ぶものとする。
【００２５】
ＡＶアンプ４ａ及びＡＶアンプ４ｂの構成は共通もしくは類似する部分が多いので、以下にそれらを合せて説明する。また、ＡＶアンプ４ａ及びＡＶアンプ４ｂに共通する構成部には同じ符号（数字）にいずれのＡＶアンプの構成部であるかを示す「ａ」または「ｂ」を付すものとする。ＡＶアンプ４ａは、ビデオ出力端子５ａ、オーディオ出力端子６ａ−ｉ（ｉ＝１〜８）、ＨＤＭＩ入力端子７ａ、ＨＤＭＩ出力端子８ａを備えている。同様に、ＡＶアンプ４ｂは、ビデオ出力端子５ｂ、オーディオ出力端子６ｂ−ｉ（ｉ＝１〜８）、ＨＤＭＩ入力端子７ｂ、ＨＤＭＩ出力端子８ｂを備えている。
【００２６】
ＡＶアンプ４ａのビデオ出力端子５ａはテレビ９１と接続されている。ＡＶアンプ４ａのオーディオ出力端子６ａ−１、６ａ−２、６ａ−３、６ａ−４の各々はスピーカ１Ｃ、スピーカ１Ｌ、スピーカ１Ｒ、サブウーファ１ＳＷと接続されている。ＡＶアンプ４ｂのオーディオ出力端子６ｂ−１、６ｂ−２の各々はスピーカ１ＬＳ、スピーカ１ＲＳと接続されている。ＡＶアンプ４ａのＨＤＭＩ入力端子７ａは音信号発生装置３のＨＤＭＩ出力端子９とＨＤＭＩケーブル８１ａにより接続されている。ＡＶアンプ４ｂのＨＤＭＩ入力端子７ｂはＡＶアンプ４ａのＨＤＭＩ出力端子８ａとＨＤＭＩケーブル８１ｂにより接続されている。
【００２７】
ＨＤＭＩケーブル８１ａは、ＴＭＤＳ(Transition Minimized Differential Signaling)信号線ＬＮTMDS（ＴＭＤＳに従って映像信号や音信号等のコンテンツ信号を伝送する信号線）、ＡＲＣ(Audio Return Channel)信号線ＬＮARC（ＴＭＤＳと逆方向に信号を伝送する信号線）、及びＣＥＣ(Consumer Electronics Control)信号線ＬＮCEC（ＨＤＭＩケーブにより接続されたデバイス間の制御信号の双方向の伝送に使用する信号線）などの複数の信号線を有している。ＨＤＭＩケーブル８１ｂの構成もＨＤＭＩケーブル８１ａの構成と同様である。
【００２８】
ＡＶアンプ４ａはさらに、制御部１１ａ、記憶部１２、ＨＤＭＩレシーバ１３ａ、ＨＤＭＩトランスミッタ１４ａ、デコーダ用のＤＳＰ１５ａ、ポストプロセッサ用のＤＳＰ１６ａ、出力部１７ａを備えている。
【００２９】
制御部１１ａは、ＡＶアンプ４ａの制御中枢としての役割を果たし、音信号発生装置３から入力される映像信号をテレビ９１に出力するとともに、ＤＳＰ１５ａおよびＤＳＰ１６ａを制御し、音信号発生装置３から入力される音信号のデコードや音響処理を実行させる。
【００３０】
音響システム５０において利用可能なＡＶアンプは各々、入力された音信号に対し各種再生モードに応じた音響効果を付加する機能を備えている。本実施形態においては例として、各ＡＶアンプが共通して以下の５つの再生モードに応じた音響処理を実行可能であるものとする。
シネマモード：昼間の映画の視聴に好適な再生モード。
ナイトシネマモード：夜間の映画の視聴に好適な再生モード。
テレビモード：テレビ番組の視聴に好適な再生モード。
ゲームモード：ゲームのプレイに好適な再生モード。
ミュージックモード：音楽コンテンツの聴取に好適な再生モード。
【００３１】
記憶部１２は、遅延パターンテーブルを記憶している。図２は、遅延パターンテーブルのデータ構造を模式的に示した図である。遅延パターンテーブルは、各種ＡＶアンプ（ＡＶアンプ４ａおよびＡＶアンプ４ｂを含む多数種類のＡＶアンプ）の各々に関するデータレコードの集まりであり、各データレコードは以下のデータフィールドを含む。
【００３２】
「識別情報」：ＡＶアンプの識別情報である機種ＩＤ（Identifier）を格納する。
「設定１」：シネマモード時の総デバイス処理時間ＲＴ１を示す時間データを格納する。
「設定２」：ナイトシネマモード時の総デバイス処理時間ＲＴ２を示す時間データを格納する。
「設定３」：テレビモード時の総デバイス処理時間ＲＴ３を示す時間データを格納する。
「設定４」：ゲームモード時の総デバイス処理時間ＲＴ４を示す時間データを格納する。
「設定５」：ミュージックモード時の総デバイス処理時間ＲＴ５を示す時間データを格納する。
【００３３】
遅延パターンテーブルに格納される時間データが示す総デバイス処理時間ＲＴ１〜ＲＴ５は、各ＡＶアンプが５つの再生モードの各々に応じた音響処理を音信号に施す際、主として各ＡＶアンプが備えるポストプロセッサ用のＤＳＰを音信号が通過するために要する時間（後述）であり、例えばＡＶアンプのメーカにより計測されたものである。ＡＶアンプ４ａは予め遅延パターンテーブルに各ＡＶアンプに関する時間データを格納した状態で出荷されるか、もしくは、例えばインターネット等を介して必要な時間データを外部の装置から取得し、遅延パターンテーブルに格納する。
【００３４】
図１に戻り、ＡＶアンプ４ａの構成の説明を続ける。ＨＤＭＩレシーバ１３ａは、音信号発生装置３からＨＤＭＩケーブル８１ａの信号線ＬＮTMDSを介してＨＤＭＩ入力端子７ａに入力されるコンテンツ信号の受信におけるバッファリング処理を行う。ＨＤＭＩトランスミッタ１４ａは、ＡＶアンプ４ａからＨＤＭＩケーブル８１ｂの信号線ＬＮTMDSを介してＨＤＭＩ出力端子８ａからＡＶアンプ４ｂに出力されるコンテンツ信号の送信におけるバッファリング処理を行う。
【００３５】
ＨＤＭＩレシーバ１３ａおよびＨＤＭＩトランスミッタ１４ａのバッファリング処理におけるバッファ容量としては、コンテンツ信号が然るべきタイミングで欠落することなく順次再生されるように比較的大きな容量が確保される。そのため、コンテンツ信号の伝送には無視できない程度の遅延が伴う。一方、信号線ＬＮARCを介した信号の伝送に伴うバッファ容量は小さく、遅延は無視できる程度に小さい。
【００３６】
ＤＳＰ１５ａはデコーダ用のＤＳＰであり、制御部１１ａの指示に従い、音信号発生装置３からＡＶアンプ４ａに対し入力される音信号ＭＤC、ＭＤL、ＭＤR、ＭＤLS、ＭＤRSおよびＭＤSWを受け取り、それらの音信号に対し必要に応じてデコード処理ＺＤを実行した後、音信号ＭＤC、ＭＤL、ＭＤR、ＭＤSWに関してはそれらをＤＳＰ１６ａに引き渡す。
【００３７】
ＤＳＰ１６ａはポストプロセッサ用のＤＳＰであり、まず、ＤＳＰ１５ａから引き渡された音信号の各々に音響効果を付加する音響処理ＺＥａを実行し、音響効果の付加された音信号ＭＤ’C、ＭＤ’L、ＭＤ’R、ＭＤ’SWを生成する。その後、ＤＳＰ１６ａはそれらの音信号の全てに対し同じディレイタイムＤＴxaの遅延を与える遅延処理ＺＸａを実行した後、出力部１７ａに引き渡す。なお、遅延処理ＺＸａについては後述する。
【００３８】
出力部１７ａは、ＤＳＰ１６ａから引き渡された音信号ＭＤ’C、ＭＤ’L、ＭＤ’R、ＭＤ’SWに対し、必要に応じてアナログ信号への変換およびスピーカ駆動レベルへの増幅を行なった後、各々、スピーカ１Ｃ、スピーカ１Ｌ、スピーカ１Ｒおよびサブウーファ１ＳＷに出力する。なお、音信号が出力部１７ａを通過する際に生じる遅延は無視できる程度に小さい。
【００３９】
また、ＤＳＰ１５ａは、音信号ＭＤLS、ＭＤRSに関しては、制御部１１ａの指示に従い、それらの音信号の両方に対し同じディレイタイムＤＴxbの遅延を与える遅延処理ＺＸｂを実行した後、それらの音信号をＨＤＭＩケーブル８１ｂの信号線ＬＮTMDSを介してＡＶアンプ４ｂに出力する。なお、遅延処理ＺＸｂについては後述する。
【００４０】
ＡＶアンプ４ｂは、制御部１１ｂ、ＨＤＭＩレシーバ１３ｂ、ＨＤＭＩトランスミッタ１４ｂ、ポストプロセッサ用のＤＳＰ１６ｂ、出力部１７ｂを備えている。制御部１１ｂ、ＨＤＭＩレシーバ１３ｂ、ＨＤＭＩトランスミッタ１４ｂの機能は、ＡＶアンプ４ａの対応する構成部の機能と同様である。
【００４１】
ＤＳＰ１６ｂは、制御部１１ｂの指示に従い、ＡＶアンプ４ａから入力される音信号ＭＤLS及びＭＤRSに各再生モードに応じた音響効果を付与する音響処理ＺＥｂを実行し、音信号ＭＤ’LS、ＭＤ’RSを生成し、それらの音信号を出力部１７ｂに引き渡す。
【００４２】
出力部１７ｂは、ＤＳＰ１６ｂから引き渡された音信号ＭＤ’LS、ＭＤ’RSに対し、必要に応じてアナログ信号への変換およびスピーカ駆動レベルへの増幅を行なった後、各々、スピーカ１ＬＳおよびスピーカ１ＲＳに出力する。なお、音信号が出力部１７ｂを通過する際に生じる遅延は無視できる程度に小さい。
【００４３】
スピーカ群１に含まれるスピーカの各々は、上記のように出力部１７ａもしくは出力部１７ｂから入力される音信号に従い居室９０に対する放音を行なう。その結果、居室９０に１つの音場が作り出される。
【００４４】
続いて、上述した遅延処理ＺＸａおよび遅延処理ＺＸｂに関し詳細を説明する。遅延処理ＺＸａおよび遅延処理ＺＸｂは、ＡＶアンプ４ａにおいて音信号がＤＳＰ１５ａおよびＤＳＰ１６ａを通過するために要する時間と、ＡＶアンプ４ａにおいて音信号がＤＳＰ１５ａを通過した後にＡＶアンプ４ｂへ伝送され、さらにＡＶアンプ４ｂのＤＳＰ１６ｂを通過するために要する時間とが異なるために、ＡＶアンプ４ａからスピーカ１Ｃ、スピーカ１Ｌ、スピーカ１Ｒおよびサブウーファ１ＳＷに出力される音信号の出力タイミングと、ＡＶアンプ４ｂからスピーカ１ＬＳおよびスピーカ１ＲＳに出力される音信号の出力タイミングに意図せぬずれが生じることを回避するために行われる遅延処理である。
【００４５】
図３および図４は、制御部１１ａが遅延処理ＺＸａのディレイタイムＤＴxaおよび遅延処理ＺＸｂのディレイタイムＤＴxbを決定する方法を説明するための図である。図３は概ねＡＶアンプ４ａの総デバイス処理時間がＡＶアンプ４ｂの総デバイス処理時間より短く、遅延処理ＺＸａのディレイタイムＤＴxaが正の値に設定され、遅延処理ＺＸｂのディレイタイムＤＴxbが０（ディレイなし）に設定される場合を示している。一方、図４は概ねＡＶアンプ４ａの総デバイス処理時間がＡＶアンプ４ｂの総デバイス処理時間より長く、遅延処理ＺＸａのディレイタイムＤＴxaが０（ディレイなし）に設定され、遅延処理ＺＸｂのディレイタイムＤＴxbが正の値に設定される場合を示している。なお、以下の説明においては、例として、５つの再生モードのうちシネマモードが選択されているものとする。
【００４６】
図３および図４において、横方向は時間の経過（右方向が正）を示している。図３および図４の第１段は、ディレイタイムＤＴxaが０（ディレイなし）に設定された状態で、音信号が音信号発生装置３からＡＶアンプ４ａに入力されたタイミングから出力部１７ａに出力されるタイミングまでの時間を示している。その内訳は以下のとおりである。
【００４７】
入力処理時間ｚｒａ：ＡＶアンプ４ａのＨＤＭＩ入力端子７ａが音信号発生装置３からＨＤＭＩケーブル８１ａの信号線ＬＮTMDSを介して音信号を受け取ったタイミングから、その音信号をＤＳＰ１５ａに引き渡すタイミングまでの時間。主としてＨＤＭＩレシーバ１３ａのバッファリング処理に伴う遅延時間。
デバイス処理時間ｚｄ：音信号がＤＳＰ１５ａを通過するのに要する時間のうち、デコード処理ＺＤに要する時間。主としてデコード処理ＺＤのバッファリング処理に伴う遅延時間。
デバイス処理時間ｚｅａ：音信号がＤＳＰ１６ａを通過するために要する時間のうち、音響処理ＺＥａに要する時間。主として音響処理ＺＥａのバッファリング処理に伴う遅延時間。
デバイス処理時間ｚｘａ：音信号がＤＳＰ１６ａを通過するために要する時間のうち、ディレイタイムＤＴxa＝０に設定された遅延処理ＺＸａに要する時間。主として遅延処理ＺＸａのバッファリング処理に伴う遅延時間。
【００４８】
また、図３および図４の第２段は、ディレイタイムＤＴxbが０（ディレイなし）に設定された状態で、音信号が音信号発生装置３からＡＶアンプ４ａに入力されたタイミングから出力部１７ｂに出力されるタイミングまでの時間を示している。その内訳は以下のとおりである。
【００４９】
入力処理時間ｚｒａ：ＡＶアンプ４ａのＨＤＭＩ入力端子７ａが音信号発生装置３からＨＤＭＩケーブル８１ａの信号線ＬＮTMDSを介して音信号を受け取ったタイミングから、その音信号をＤＳＰ１５ａに引き渡すタイミングまでの時間。主としてＨＤＭＩレシーバ１３ａのバッファリング処理に伴う遅延時間。
デバイス処理時間ｚｄ：音信号がＤＳＰ１５ａを通過するために要する時間のうち、デコード処理ＺＤに要する時間。主としてデコード処理ＺＤのバッファリング処理に伴う遅延時間。
デバイス処理時間ｚｘｂ：音信号がＤＳＰ１５ａを通過するために要する時間。主として、ディレイタイムＤＴxb＝０に設定された遅延処理ＺＸｂのバッファリング処理に伴う遅延時間。
出力処理時間ｚｔａ：ＤＳＰ１５ａからＨＤＭＩトランスミッタ１４ａに音信号が引き渡されたタイミングから、ＨＤＭＩ出力端子８ａからＨＤＭＩケーブル８１ｂの信号線ＬＮTMDSを介してその音信号がＡＶアンプ４ｂに対し出力されるタイミングまでの時間。主としてＨＤＭＩトランスミッタ１４ａのバッファリング処理に伴う遅延時間。
入力処理時間ｚｒｂ：ＨＤＭＩ入力端子７ｂがＨＤＭＩケーブル８１ｂの信号線ＬＮTMDSを介してＡＶアンプ４ａから音信号の入力を受けたタイミングから、ＨＤＭＩレシーバ１３ｂがその音信号をＤＳＰ１６ｂに引き渡すタイミングまでの時間。主としてＨＤＭＩレシーバ１３ｂのバッファリング処理に伴う遅延時間。
デバイス処理時間ｚｅｂ：音信号がＤＳＰ１６ｂを通過するために要する時間のうち、音響処理ＺＥｂに要する時間。主として音響処理ＺＥｂのバッファリング処理に伴う遅延時間。
【００５０】
図３および図４に示される各種時間のうち、下線を付した入力処理時間ｚｒｂ、デバイス処理時間ｚｅｂは、ＡＶアンプ４ｂに固有の時間である。ＡＶアンプ４ｂに固有のそれら３つの時間の合計値は、遅延パターンテーブル（図２）に含まれるＡＶアンプ４ｂの機種ＩＤに応じたデータレコードのデータフィールド「設定１」（シネマモードに対応）に格納されている時間データにより示される総デバイス処理時間ＲＴ１である。ＡＶアンプ４ａは、その時間データを遅延パターンテーブルから検索するために、例えばＡＶアンプ４ａおよびＡＶアンプ４ｂの両方の電源が投入されたタイミング、もしくはユーザにより再生モードの変更指示を受けたタイミング等において、ＡＶアンプ４ｂの機種ＩＤを要求する要求信号を生成し、例えばＨＤＭＩケーブル８１ｂの信号線ＬＮCECを介してＡＶアンプ４ｂに送信する。
【００５１】
ＡＶアンプ４ｂの制御部１１ｂは、ＡＶアンプ４ａから送信されてきた要求信号を取得すると、自機の機種ＩＤを示す応答信号を生成し、例えばＨＤＭＩケーブル８１ｂの信号線ＬＮCECを介してＡＶアンプ４ａに送信する。
【００５２】
制御部１１ａは、ＡＶアンプ４ｂから送信されてきた応答信号を取得すると、遅延パターンテーブルの中から応答信号が示す機種ＩＤを検索キーとしてデータレコードを検索し、検索したデータレコードのデータフィールド「設定１」〜「設定５」のうち、現在選択されている再生モード（シネマモード）に対応するデータフィールド「設定１」に格納されている時間データを読み出す。このように読み出された時間データが示す総デバイス処理時間ＲＴ１が、シネマモードにおけるＡＶアンプ４ｂの入力処理時間ｚｒｂとデバイス処理時間ｚｅｂの合計時間である。
【００５３】
一方、図３および図４に示される各種時間のうち、下線を付していない入力処理時間ｚｒａ、デバイス処理時間ｚｄ、デバイス処理時間ｚｅａ、デバイス処理時間ｚｘａ、デバイス処理時間ｚｘｂおよび出力処理時間ｚｔａは、ＡＶアンプ４ａに固有の時間である。ＡＶアンプ４ａは予め自機に関するこれらの時間を示すデータを記憶部１２に記憶している。
【００５４】
制御部１１ａは、遅延パターンテーブルから読み出した時間データが示すＡＶアンプ４ｂに固有の時間と、記憶部１２に記憶されているデータが示すＡＶアンプ４ａに固有の時間に基づき、図３もしくは図４の第１段および第２段に示される時間Ｘａと時間Ｘｂの差を、ディレイタイムＤＴxa（図３の場合）またはディレイタイムＤＴxb（図４の場合）として算出する。具体的には、制御部１１ａは以下の計算を行う。
【００５５】
時間Ｘａ＝デバイス処理時間ｚｅａ＋デバイス処理時間ｚｘａ
時間Ｘｂ＝デバイス処理時間ｚｘｂ＋出力処理時間ｚｔａ＋入力処理時間ｚｒｂ＋デバイス処理時間ｚｅｂ
とするとき、
時間Ｘａ＜時間Ｘｂの場合、
ＤＴxa＝時間Ｘｂ−時間Ｘａ
ＤＴxb＝０
時間Ｘａ＝時間Ｘｂの場合、
ＤＴxa＝０
ＤＴxb＝０
時間Ｘａ＞時間Ｘｂの場合、
ＤＴxa＝０
ＤＴxb＝時間Ｘａ−時間Ｘｂ
【００５６】
図３および図４の第３段は、上記のように算出されたディレイタイムＤＴxaが設定された状態で、音信号が音信号発生装置３からＡＶアンプ４ａに入力されたタイミングから出力部１７ａに出力されるタイミングまでの時間を示している。また、図３および図４の第４段は、上記のように算出されたディレイタイムＤＴxbが設定された状態で、音信号が音信号発生装置３からＡＶアンプ４ａに入力されたタイミングから出力部１７ｂに出力されるタイミングまでの時間を示している。これらの図が示すように、上記のように算出されたディレイタイムＤＴxaおよびディレイタイムＤＴxbに従った遅延処理ＺＸａおよび遅延処理ＺＸｂが行われることにより、ＡＶアンプ４ａにおいて出力部１７ａに音信号が出力されるタイミングと、ＡＶアンプ４ｂにおいて出力部１７ｂに音信号が出力されるタイミングが一致することになる。
【００５７】
既述のように、ＡＶアンプ４ａの出力部１７ａが音信号の入力を受けたタイミングから、ＡＶアンプ４ａに接続されているスピーカの各々に音信号を出力するまでの時間と、ＡＶアンプ４ｂの出力部１７ｂが音信号の入力を受けたタイミングから、ＡＶアンプ４ｂに接続されているスピーカの各々に音信号を出力するまでの時間は無視できる程度に短く、それらの差も無視できる程度に小さい。そのため、上記のように算出されたディレイタイムＤＴxaおよびＤＴxbに従う遅延処理ＺＸａおよび遅延処理ＺＸｂにより、ＡＶアンプ４ａに接続されているスピーカの各々に対する音信号の出力タイミングとＡＶアンプ４ｂに接続されているスピーカの各々に対する音信号の出力タイミングが一致することになる。
【００５８】
以上述べた構成を備えるＡＶアンプ４ａおよびＡＶアンプ４ｂによれば、ＡＶアンプ４ａおよびＡＶアンプ４ｂが同じＡＶコンテンツの音信号に対し並列的に音響効果を付加する処理を行い、各々に接続されている異なるスピーカに対し音響効果を付加した音信号を個別に出力する場合であっても、ＡＶアンプ４ａからスピーカに対し音信号が出力されるタイミングと、ＡＶアンプ４ｂからスピーカに対し音信号が出力されるタイミングが一致する。その結果、居室９０内において視聴者ＬＳＮにとって望ましい音場が作り上げられる。
【００５９】
＜第２実施形態＞
図５は、本発明の第２実施形態にかかるＡＶアンプ１０４ａおよびＡＶアンプ１０４ｂを含む音響システム１５０の構成例を示す図である。第２実施形態にかかる音響システム１５０の構成は、上述した第１実施形態にかかる音響システム５０と多くの点で共通している。従って、以下に音響システム１５０が音響システム５０と異なる点を中心に説明する。また、音響システム１５０が備える構成部のうち音響システム５０が備える構成部と共通のものには音響システム５０において用いた符号と同じ符号を用いる。
【００６０】
第１実施形態にかかるＡＶアンプ４ａは、遅延処理ＺＸａおよび遅延処理ＺＸｂのディレイタイムを決定するために要するＡＶアンプ４ａおよびＡＶアンプ４ｂの各再生モードにおけるデバイス処理時間を、記憶部１２に記憶しているデータの読み出しにより特定する。
【００６１】
これに対し、第２実施形態にかかるＡＶアンプ１０４ａは、テスト信号が実際にＤＳＰ１６ａを通過するために要する時間を計測することにより時間Ｘａを特定する。またＡＶアンプ１０４ａは、テスト信号が実際にＤＳＰ１５ａを通過した後、ＡＶアンプ１０４ｂに送信され、ＤＳＰ１６ｂを通過するために要する時間を計測することにより時間Ｘｂを特定する。そして、ＡＶアンプ１０４ａの制御部１１ａは、そのように計測により特定した時間Ｘａと時間Ｘｂを用いて遅延処理ＺＸａのディレイタイムＤＴxaおよび遅延処理ＺＸｂのディレイタイムＤＴxbを決定する。
【００６２】
そのため、ＡＶアンプ１０４ａはＡＶアンプ１０４ａのデバイス処理時間等を示すデータや遅延パターンテーブルを記憶するための記憶部１２を要さない。
【００６３】
ＡＶアンプ１０４ａおよびＡＶアンプ１０４ｂによる時間Ｘａおよび時間Ｘｂの計測は以下のように行われる。まず、制御部１１ａはＤＳＰ１６ａに対し、選択されている再生モードに応じた音響処理ＺＥａおよび遅延処理ＺＸａ（ディレイタイムＤＴxa＝０）を行う際と同様のバッファ使用状態を設定するとともに、これから引き渡すテスト信号を通過させ、その出力信号を応答信号として制御部１１ａに返すように指示する。ＤＳＰ１６ａはその指示に従い、音響処理ＺＥａおよび遅延処理ＺＸａ（ディレイタイムＤＴxa＝０）を行う際と同様のバッファ使用状態で待機する。その後、制御部１１ａからテスト信号を引き渡されると、ＤＳＰ１６ａは先の制御部１１ａの指示に従い、そのテスト信号を通過させ、出力信号を応答信号として制御部１１ａに引き渡す。
【００６４】
制御部１１ａは、テスト信号をＤＳＰ１６ａに引き渡した時刻と応答信号をＤＳＰ１６ａから受け取った時刻との差を時間Ｘａとして特定する。この時間Ｘａは、図５において矢印Ａで示した経路を信号が通過するために要する時間である。
【００６５】
また、制御部１１ａはＤＳＰ１５ａに対し、遅延処理ＺＸｂ（ディレイタイムＤＴxb＝０）を行う際と同様のバッファ使用状態を設定するように指示するとともに、これから引き渡すテスト信号を通過させ、その出力信号をＡＶアンプ１０４ｂに出力するように指示する。この指示に従い、ＤＳＰ１５ａは遅延処理ＺＸｂ（ディレイタイムＤＴxb＝０）を行う際と同様のバッファ使用状態で待機する。
【００６６】
また制御部１１ａは、ＡＶアンプ１０４ｂに対し、ＤＳＰ１６ｂにおいて、選択されている再生モードに応じた音響処理ＺＥｂを行う際と同様のバッファ使用状態を設定し、これから入力されるテスト信号を通過させ、その出力信号を応答信号としてＡＶアンプ１０４ａに返すように指示する指示データを生成し、例えばＨＤＭＩケーブル８１ｂの信号線ＬＮCECを介してＡＶアンプ１０４ｂに送信する。その指示データを受信したＡＶアンプ１０４ｂの制御部１１ｂは、指示データに示される指示に従い、ＤＳＰ１６ｂに音響処理ＸＥｂを行う際と同様のバッファ使用状態を設定するように指示するとともに、これから引き渡すテスト信号を通過させ、その出力信号をＡＶアンプ１０４ａに出力するように指示する。この指示に従い、ＤＳＰ１６ｂは音響処理ＸＥｂを行う際と同様のバッファ使用状態で待機する。
【００６７】
その後、制御部１１ａがテスト信号をＤＳＰ１５ａに引き渡すと、ＤＳＰ１５ａは先の制御部１１ａの指示に従い、そのテスト信号を通過させ、出力信号をＨＤＭＩトランスミッタ１４ａに引き渡す。ＨＤＭＩトランスミッタ１４ａは、ＤＳＰ１５ａから受け取った信号を、ＨＤＭＩケーブル８１ｂの信号線ＬＮTMDSを介してＡＶアンプ１０４ｂに出力する。
【００６８】
ＡＶアンプ１０４ｂのＨＤＭＩレシーバ１３ｂは、ＡＶアンプ１０４ａから、ＨＤＭＩケーブル８１ｂの信号線ＬＮTMDSを介して入力されてくる信号（テスト信号）をＤＳＰ１６ｂに引き渡す。ＤＳＰ１６ｂはＨＤＭＩレシーバ１３ｂからテスト信号を受け取ると、先の制御部１１ｂの指示に従い、そのテスト信号を通過させ、出力信号を応答信号としてＨＤＭＩ入力端子７ｂに引き渡す。ＨＤＭＩ入力端子７ｂは応答信号を、ＨＤＭＩケーブル８１ｂの信号線ＬＮARCを介してＡＶアンプ１０４ａに出力する。
【００６９】
ＡＶアンプ１０４ａのＨＤＭＩ出力端子８ａは、ＡＶアンプ１０４ｂから、ＨＤＭＩケーブル８１ｂの信号線ＬＮARCを介して入力されてくる応答信号を制御部１１ａに引き渡す。制御部１１ａはテスト信号をＤＳＰ１５ａに引き渡した時刻と応答信号をＨＤＭＩ出力端子８ａから受け取った時刻との差を時間Ｘｂ’として特定する。
【００７０】
この時間Ｘｂ’は、図５において矢印Ｂで示した経路を信号が通過するために要する時間であり、第１実施形態における時間Ｘｂに以下の時間が加わった時間である。
出力処理時間ｚｔｂ：ＤＳＰ１６ｂからＨＤＭＩ入力端子７ｂに対し応答信号が引き渡されたタイミングから、応答信号がＨＤＭＩケーブル８１ｂの信号線ＬＮARCを介してＡＶアンプ１０４ａに出力されるタイミングまでの時間。
入力処理時間ｚｒａ：ＨＤＭＩ出力端子８ａが、ＨＤＭＩケーブル８１ｂの信号線ＬＮARCを介してＡＶアンプ１０４ｂからの応答信号の入力を受けたタイミングから、応答信号を制御部１１ａに引き渡すタイミングまでの時間。
【００７１】
上記の出力処理時間ｚｔｂおよび入力処理時間ｚｒａは無視できる程度に短い。すなわち、時間Ｘｂ’≒時間Ｘｂである。
【００７２】
従って、制御部１１ａは、第１実施形態にかかるＡＶアンプ４ａが時間Ｘａと時間Ｘｂを用いて行う処理と同様の処理により、上記のように特定した時間Ｘａと時間Ｘｂ’を用いて遅延処理ＺＸａのディレイタイムＤＴxaおよび遅延処理ＺＸｂのディレイタイムＤＴxbを決定する。そのように決定されたディレイタイムに従い遅延処理ＺＸａおよび遅延処理ＺＸｂが実行される結果、音響システム１５０においても音響システム５０における場合と同様に、ＡＶアンプ１０４ａからスピーカに対し音信号が出力されるタイミングと、ＡＶアンプ１０４ｂからスピーカに対し音信号が出力されるタイミングが一致する。その結果、居室９０内において視聴者ＬＳＮにとって望ましい音場が作り上げられる。
【００７３】
＜第３実施形態＞
図６は、本発明の第３実施形態にかかるＡＶアンプ２０４ａおよびＡＶアンプ２０４ｂを含む音響システム２５０の構成例を示す図である。第３実施形態にかかる音響システム２５０の構成は、上述した第１実施形態にかかる音響システム５０と多くの点で共通している。従って、以下に音響システム２５０が音響システム５０と異なる点を中心に説明する。また、音響システム２５０が備える構成部のうち音響システム５０が備える構成部と共通のものには音響システム５０において用いた符号と同じ符号を用いる。
【００７４】
音響システム５０においては、ＡＶアンプ４ｂからスピーカに対する音信号の出力タイミングを遅らせるための遅延処理ＺＸｂがＡＶアンプ４ａにより行われる。これに対し、音響システム２５０においては、遅延処理ＺＸｂが第１実施形態にかかるＡＶアンプ４ｂに対応するＡＶアンプ２０４ｂにより行われる。すなわち、ＡＶアンプ２０４ａのＤＳＰ１５ａは遅延処理ＺＸｂを行わず、ＡＶアンプ２０４ｂのＤＳＰ１６ｂが遅延処理ＺＸｂを行う。
【００７５】
そのため、ＡＶアンプ２０４ａの制御部１１ａは、ディレイタイムＤＴxbを決定すると、そのディレイタイムＤＴxbに従った遅延処理ＺＸｂの実行を指示する指示データを生成し、例えばＨＤＭＩケーブル８１ｂの信号線ＬＮCECを介してＡＶアンプ２０４ｂに送信する。ＡＶアンプ２０４ｂのＤＳＰ１６ｂは、ＡＶアンプ２０４ａから受信した指示データに従い制御部１１ｂから与えられる指示に従い、音響処理ＺＥｂにより生成した音信号ＭＤ’LSおよびＭＤ’RSをディレイタイムＤＴxbだけ遅延させ（遅延処理ＺＸｂ）、スピーカ１ＬＳ、スピーカ１ＲＳに出力する。
【００７６】
音響システム２５０においても音響システム５０における場合と同様に、ＡＶアンプ２０４ａからスピーカに対し音信号が出力されるタイミングと、ＡＶアンプ２０４ｂからスピーカに対し音信号が出力されるタイミングが一致する。その結果、居室９０内において視聴者ＬＳＮにとって望ましい音場が作り上げられる。
【００７７】
＜第４実施形態＞
図７は、本発明の第４実施形態にかかるＡＶアンプ３０４ａおよびＡＶアンプ３０４ｂを含む音響システム３５０の構成例を示す図である。第４実施形態にかかる音響システム３５０の構成は、上述した第２実施形態にかかる音響システム１５０と多くの点で共通している。従って、以下に音響システム３５０が音響システム１５０と異なる点を中心に説明する。また、音響システム３５０が備える構成部のうち音響システム１５０が備える構成部と共通のものには音響システム１５０において用いた符号と同じ符号を用いる。
【００７８】
第２実施形態においては、ＡＶアンプ１０４ａをテスト信号が通過するために要する時間Ｘａと、ＡＶアンプ１０４ａおよびＡＶアンプ１０４ｂをテスト信号が通過するために要する時間Ｘｂ’が計測され、時間Ｘａと時間Ｘｂ’に基づき、音信号のスピーカに対する出力タイミングのずれを解消するための遅延処理ＺＸａおよび遅延処理ＺＸｂにおけるディレイタイムの設定が行なわれる。
【００７９】
これに対し、第４実施形態においては、テスト信号がＡＶアンプ３０４ａを通過してＡＶアンプ３０４ａに接続されているスピーカに出力され、それらのスピーカから放音されて視聴者ＬＳＮの位置に到達するまでの時間と、テスト信号がＡＶアンプ３０４ａおよびＡＶアンプ３０４ｂを通過してＡＶアンプ３０４ｂに接続されているスピーカに出力され、それらのスピーカから放音されて視聴者ＬＳＮの位置に到達するまでの時間とが、スピーカの各々に関しラウンドトリップ時間として計測される。そして、それらの計測されたラウンドトリップ時間に基づき、音信号のスピーカに対する出力タイミングのずれを解消するための遅延処理がスピーカ毎に行なわれる構成が採用されている。
【００８０】
ラウンドトリップ時間の計測のために、音響システム３５０においては、視聴者ＬＳＮの位置にマイク１０１が配置されている。また、ＡＶアンプ３０４ａは、マイク１０１から出力される音信号を受けるためのオーディオ入力端子１０と、オーディオ入力端子１０に入力された音信号を受け取り、必要に応じてデジタル信号への変換を行なった後、制御部１１ａに引き渡す入力部１８を備えている。
【００８１】
また、ＡＶアンプ３０４ａのＤＳＰ１５ａは、ＡＶアンプ１０４ａのＤＳＰ１５ａが行なう遅延処理ＺＸｂを行なわず、ＡＶアンプ３０４ａのＤＳＰ１６ａは、ＡＶアンプ１０４ａのＤＳＰ１６ａが行なう遅延処理ＺＸａを行なわない。
【００８２】
ＡＶアンプ３０４ａのＤＳＰ１６ａは、ＡＶアンプ３０４ａに接続されているスピーカの各々に出力される音信号毎に、ディレイタイムＤＴja-#（ただし、「＃」は各スピーカの記号であるＣ、Ｌ、ＲおよびＳＷのいずれかを示す）の遅延を与える調整処理ＺＪａを行なう。また、ＡＶアンプ３０４ｂのＤＳＰ１６ａは、ＡＶアンプ３０４ｂに接続されているスピーカの各々に出力される音信号毎に、ディレイタイムＤＴjb-#（ただし、「＃」は各スピーカの記号であるＬＳおよびＲＳのいずれかを示す）の遅延を与える調整処理ＺＪｂを行なう。
【００８３】
調整処理ＺＪａのディレイタイムＤＴja-#および調整処理ＺＪｂのディレイタイムＤＴjb-#の決定は以下のように行なわれる。まず、ユーザは視聴者ＬＳＮの位置に配置したマイク１０１をオーディオ入力端子１０に接続した状態で、ＡＶアンプ３０４ａに対し計測指示の操作を行う。その操作に応じて、ＡＶアンプ３０４ａの制御部１１ａはまず、ＤＳＰ１６ａに対し、音響処理ＺＥａおよび調整処理ＺＪａ（ディレイタイムＤＴja-C＝０）を行う際と同様のバッファ使用状態を設定するとともに、これから引き渡すテスト信号を通過させ、その出力信号をスピーカ１Ｃ用の音信号として出力部１７ａに引き渡すように指示する。ＤＳＰ１６ａはその指示に従い、音響処理ＺＥａおよび調整処理ＺＪａ（ディレイタイムＤＴja-C＝０）を行う際と同様のバッファ使用状態で待機する。その後、制御部１１ａからテスト信号を引き渡されると、ＤＳＰ１６ａは先の制御部１１ａの指示に従い、そのテスト信号を通過させ、出力信号をスピーカ１Ｃ用の音信号として出力部１７ａに引き渡す。
【００８４】
出力部１７ａはＤＳＰ１６ａから引き渡された音信号をスピーカ１Ｃに出力する。スピーカ１Ｃは出力部１７ａから入力された音信号に従い放音を行う。スピーカ１Ｃから放音された音はマイク１０１により拾音され、ＡＶアンプ３０４ａのオーディオ入力端子１０に出力される。ＡＶアンプ３０４ａの入力部１８はマイク１０１からオーディオ入力端子１０経由で入力された音信号を制御部１１ａに引き渡す。制御部１１ａはテスト信号をＤＳＰ１６ａに引き渡した時刻と、入力部１８からそのテスト信号に応じた音信号を受け取った時刻との差をスピーカ１Ｃに関するラウンドトリップ時間ＹCとして算出する。
【００８５】
ＡＶアンプ３０４ａはスピーカ１Ｃに関するラウンドトリップ時間ＹCの算出と同様の処理を、ＡＶアンプ３０４ａに接続されている他のスピーカ、すなわちスピーカ１Ｌ、スピーカ１Ｒ、サブウーファ１ＳＷに関しても行い、それらのスピーカの各々に関するラウンドトリップ時間ＹL、ラウンドトリップ時間ＹR、ラウンドトリップ時間ＹSWを算出する。
【００８６】
続いて、制御部１１ａはＡＶアンプ３０４ｂに対し、ＤＳＰ１６ｂにおいて音響処理ＸＥｂおよび調整処理ＺＪｂ（ディレイタイムＤＴjb-LS＝０）を行う際と同様のバッファ使用状態を設定し、これから入力されるテスト信号を通過させ、その出力信号に従った音をスピーカ１ＬＳから放音するように指示する指示データを生成し、例えばＨＤＭＩ８１ｂの信号線ＬＮCECを介してＡＶアンプ３０４ｂに送信する。その指示データを受信したＡＶアンプ３０４ｂの制御部１１ｂは、指示データに示される指示に従い、ＤＳＰ１６ｂに音響処理ＸＥｂおよび調整処理ＺＪｂ（ディレイタイムＤＴjb-LS＝０）を行う際と同様のバッファ使用状態を設定するように指示するとともに、これから引き渡すテスト信号を通過させ、その出力信号をスピーカ１ＬＳ用の音信号として出力部１７ｂに出力するように指示する。この指示に従い、ＤＳＰ１６ｂは音響処理ＸＥｂおよび調整処理ＺＪｂ（ディレイタイムＤＴjb-LS＝０）を行う際と同様のバッファ使用状態で待機する。
【００８７】
その後、制御部１１ａはテスト信号をＨＤＭＩトランスミッタ１４ａに引き渡す。ＨＤＭＩトランスミッタ１４ａは制御部１１ａから受け取ったテスト信号を、ＨＤＭＩケーブル８１ｂの信号線ＬＮTMDSを介してＡＶアンプ３０４ｂに出力する。
【００８８】
ＡＶアンプ３０４ｂのＨＤＭＩレシーバ１３ｂは、ＨＤＭＩケーブル８１ｂの信号線ＬＮTMDSを介してＡＶアンプ３０４ａから入力されてくるテスト信号をＤＳＰ１６ｂに引き渡す。ＤＳＰ１６ｂはＨＤＭＩレシーバ１３ｂからテスト信号を受け取ると、先の制御部１１ｂの指示に従い、そのテスト信号を通過させ、出力信号を出力部１７ｂに引き渡す。出力部１７ｂはＤＳＰ１６ｂから引き渡された音信号をスピーカ１ＬＳに出力する。スピーカ１ＬＳは出力部１７ｂから入力された音信号に従い放音を行う。
【００８９】
スピーカ１ＬＳから放音された音はマイク１０１により拾音され、ＡＶアンプ３０４ａのオーディオ入力端子１０に出力される。ＡＶアンプ３０４ａはマイク１０１からオーディオ入力端子１０経由で入力された音信号を制御部１１ａに引き渡す。制御部１１ａはテスト信号をＨＤＭＩトランスミッタ１４ａに引き渡した時刻と、入力部１８からそのテスト信号に応じた音信号を受け取った時刻との差をスピーカ１ＬＳに関するラウンドトリップ時間ＹLSとして算出する。
【００９０】
ＡＶアンプ３０４ａはスピーカ１ＬＳに関するラウンドトリップ時間ＹLSの算出と同様の処理を、ＡＶアンプ３０４ｂに接続されている他のスピーカ、すなわちスピーカ１ＲＳに関しても行い、スピーカ１ＲＳに関するラウンドトリップ時間ＹRSを算出する。
【００９１】
図８は、上記のように算出される各スピーカに応じたラウンドトリップ時間の例を示した図である。ただし、図８においては、音信号がＤＳＰ１６ａから出力部１７ａに出力されたタイミングから、音信号に従った音がＡＶアンプ３０４ａに接続された各スピーカから放音されるタイミングまでの時間と、音信号がＤＳＰ１６ｂから出力部１７ｂに出力されたタイミングから、音信号に従った音がＡＶアンプ３０４ｂに接続された各スピーカから放音されるタイミングまでの時間は、無視できる程度に短いため、図示を省略している。また、図８においては、音がマイク１０１により拾音され、オーディオ入力端子１０および入力部１８を経由して制御部１１ａに引き渡されるまでの時間も無視できる程度に短いため、図示を省略している。また、図８において、各スピーカから視聴者ＬＳＮまでの音の伝達に要する時間をｚｃ−＃（ただし、「＃」は各スピーカの記号であるＣ、Ｌ、Ｒ、ＬＳ、ＲＳおよびＳＷのいずれかを示す）で示している。なお、図８は概ねＡＶアンプ３０４ａを通過する音信号のラウンドトリップ時間が、ＡＶアンプ３０４ｂを通過する音信号のラウンドトリップ時間より短い場合を例として示しているが、その他の場合も、以下に述べるＤＴja-#およびＤＴjb-#の算出方法は同じである。
【００９２】
図８に示される各スピーカに関するラウンドトリップ時間Ｙ#の間の差は、ＡＶアンプ３０４ａを音信号が通過する際に要する時間とＡＶアンプ３０４ｂを音信号が通過する際に要する時間との差に起因するＡＶアンプ間の時間差である。制御部１１ａは、それらの時間Ｙ#の間の差が解消するように、以下の算出式に従い、調整処理ＺＪａのためのディレイタイムＤＴja-#および調整処理ＺＪｂのためのディレイタイムＤＴjb-#を各々算出する。
【００９３】
ＤＴja-#＝Ｙmax−Ｙ#
または
ＤＴjb-#＝Ｙmax−Ｙ#
（ただし、ＹmaxはＡＶアンプ３０４ａまたはＡＶアンプ３０４ｂに接続されているスピーカの各々に関するランドトリップ時間のうち最大のもの）
【００９４】
上記のように算出されたディレイタイムＤＴja-#およびディレイタイムＤＴjb-#に従い調整処理ＺＪａおよび調整処理ＺＪｂが行われる結果、図９に示すように、ＡＶアンプ３０４ａからスピーカに対し音信号が出力されるタイミングと、ＡＶアンプ３０４ｂからスピーカに対し音信号が出力されるタイミングが一致することになる。
【００９５】
音響システム３５０においても音響システム５０における場合と同様に、ＡＶアンプ３０４ａからスピーカに対し音信号が出力されるタイミングと、ＡＶアンプ３０４ａからＡＶアンプ３０４ｂ経由でスピーカに対し音信号が出力されるタイミングが一致する。その結果、居室９０内において視聴者ＬＳＮにとって望ましい音場が作り上げられる。
【００９６】
上述したディレイタイムＤＴja-#およびディレイタイムＤＴjb-#は、各スピーカと視聴者ＬＳＮとの間の距離が同一となるように各スピーカが居室９０内に配置されている場合においてＡＶアンプ３０４ａが算出するディレイタイムＤＴja-#およびディレイタイムＤＴjb-#である。音響システム３５０においては、各スピーカと視聴者ＬＳＮとの間の距離が同一でない場合であっても、上述のように算出されるディレイタイムＤＴja-#およびディレイタイムＤＴjb-#を用いることで、別途の調整処理を要することなく、各スピーカから放音される音が視聴者ＬＳＮに到達するタイミングが一致する。
【００９７】
図１０は、各スピーカと視聴者ＬＳＮとの間の距離がまちまちである場合において、ＡＶアンプ３０４ａにより算出される各スピーカに応じたラウンドトリップ時間の例を示した図である。図１０に示される各スピーカに関するラウンドトリップ時間Ｙ#の間の差は、ＡＶアンプ３０４ａを音信号が通過する際に要する時間とＡＶアンプ３０４ｂを音信号が通過する際に要する時間との差に起因するＡＶアンプ間の時間差と、各スピーカから視聴者ＬＳＮまでの距離差に起因するスピーカ間の時間差の両方が合算されたものである。制御部１１ａは、それらの時間Ｙ#の間の差が解消するように、上述した算出式に従い、調整処理ＺＪａのためのディレイタイムＤＴja-#および調整処理ＺＪｂのためのディレイタイムＤＴjb-#を各々算出する。
【００９８】
上記のように算出されたディレイタイムＤＴja-#およびディレイタイムＤＴjb-#に従い調整処理ＺＪａおよび調整処理ＺＪｂが行われる結果、図１１に示すように、各スピーカから放音される同じタイミングで再生されるべき音が視聴者ＬＳＮに到達するタイミングが一致することになる。
【００９９】
＜変形例＞
上述した実施形態は本発明の技術的思想の範囲内で様々に変形することができる。以下にそれらの変形の例を示す。なお、以下において、ＡＶアンプ４ａ、ＡＶアンプ１０４ａ、ＡＶアンプ２０４ａおよびＡＶアンプ３０４ａを総称して「マスタアンプ」と呼び、ＡＶアンプ４ｂ、ＡＶアンプ１０４ｂ、ＡＶアンプ２０４ｂおよびＡＶアンプ３０４ｂを総称して「スレーブアンプ」と呼ぶ。
【０１００】
（第１変形例）
第１変形例においては、上述した第１実施形態もしくは第３実施形態と、第２実施形態もしくは第４実施形態が組み合わされた構成が採用される。
【０１０１】
すなわち、第１実施形態および第３実施形態においては、マスタアンプの記憶部１２に遅延パターンテーブルの形で記憶されている各種ＡＶアンプの各再生モードに応じた時間データに従い、遅延処理ＺＸａおよび遅延処理ＺＸｂにおけるディレイタイムの特定が行われる。
【０１０２】
一方、第２実施形態においては、遅延パターンテーブルを用いず、マスタアンプがテスト信号を出力し、それに対する応答信号が入力されるまでの時間をマスタアンプが計測し、それらの計測結果に基づき遅延処理ＺＸａおよび遅延処理ＺＸｂにおけるディレイタイムの特定が行われる。
【０１０３】
第１変形例においては、それらが組み合わされ、計測により特定された時間Ｘａおよび時間Ｘｂ’が時間データに代えて遅延パターンテーブルに記憶され、その後のディレイタイムの特定に利用される。
【０１０４】
第１変形例によれば、予め遅延パターンテーブルに時間データを記憶しておく必要がなく、またいったん計測により時間Ｘａおよび時間Ｘｂ’が特定されるとそれらの時間を示すデータが記憶され再利用可能となるため、同じ再生モードにおける計測を繰り返す必要がない。
【０１０５】
（第２変形例）
上述した第１実施形態もしくは第３実施形態においては、各種ＡＶアンプに関する時間データがマスタアンプの記憶部１２に遅延パターンテーブルの形で記憶されており、スレーブアンプの時間データがマスタアンプにおいて遅延パターンテーブルから読み出されて使用される。
【０１０６】
これに対し、第２変形例においては、マスタアンプは自機の各再生モードに応じた時間データを記憶するのみで、他のＡＶアンプの時間データは記憶していない。一方、第２変形例におけるスレーブアンプは、記憶部を備え、自機の各再生モードに応じた時間データを記憶している。
【０１０７】
第２変形例において、マスタアンプはディレイタイムの特定の際に、スレーブアンプに対し時間データの要求を行う。その要求に応じてスレーブアンプはマスタアンプに対し、記憶している自機の時間データを送信する。
【０１０８】
マスタアンプは、記憶部１２に記憶している自機の時間データと、スレーブアンプから受信したスレーブアンプの時間データとに従い、遅延処理ＺＸａおよび遅延処理ＺＸｂにおけるディレイタイムの特定を行う。
【０１０９】
第２変形例によれば、各ＡＶアンプは自機の時間データを記憶するのみでよく、マスタアンプが他の様々なＡＶアンプの時間データを記憶する必要がない。
【０１１０】
上述した第４実施形態においては、スピーカ毎にラウンドトリップ時間の計測が行われ、各スピーカに応じたディレイタイムによる遅延処理が調整処理ＺＪａおよび調整処理ＺＪｂとして実行される構成が採用されているが、各スピーカと視聴者ＬＳＮとの間の距離に差がない場合、図９に示されるように、同じＡＶアンプに接続されている各スピーカに応じたラウンドトリップ時間は同一となり、従ってそれらのスピーカに出力される音信号に関し行われる調整処理のディレイタイムも同一となる。従って、各スピーカと視聴者ＬＳＮとの間の距離に差がない場合、ＡＶアンプ３０４ａに接続されているいずれか１つのスピーカに関するラウンドトリップ時間と、ＡＶアンプ３０４ｂに接続されているいずれか１つのスピーカに関するラウンドトリップ時間の計測のみを行い、それらのラウンドトリップ時間に基づき、各スピーカに出力される音信号に関するディレイタイムの算出を行う構成が採用されてもよい。
【０１１１】
（第３変形例）
第３変形例においては、上述した第４実施形態においてスレーブアンプのＤＳＰ１６ｂにおいて行われる調整処理ＺＪｂが、マスタアンプ（例えば、ＤＳＰ１５ａ）において行われる。すなわち、スレーブアンプから各スピーカに出力される音信号の出力タイミングの調整が、マスタアンプからスレーブアンプに対する各スピーカに応じた音信号の出力タイミングの調整により実現される。
【０１１２】
第３変形例によれば、上述した第４実施形態における場合と比較し、スレーブアンプにおける処理負荷が軽減されるため、スレーブアンプのリソースをより多く音響処理ＺＥｂに用いることができる。
【０１１３】
（その他の変形例）
上述した第１実施形態、第２実施形態および第３実施形態の説明においては、各スピーカと視聴者ＬＳＮとの間に距離差がないものとしたが、各スピーカと視聴者ＬＳＮとの間に距離差がある場合、その距離差に起因する音の到達タイミングのずれを低減するためのスピーカ毎の遅延処理が行われる構成が採用されてもよい。その場合、マスタアンプがオーディオ入力端子を備え、視聴者ＬＳＮの位置に配置されたマイクから出力される音信号を受け付け可能とし、第４実施形態における場合と同様にテスト信号に応じた音を各スピーカから放音させて各スピーカに応じたラウンドトリップ時間の計測を行うことにより、各スピーカから放音される音が視聴者ＬＳＮに達するタイミングを一致させるように、スピーカ毎のディレイタイムを決定すればよい。
【０１１４】
また、上述した第１実施形態、第２実施形態および第３実施形態においては、音信号がマスタアンプの出力部１７ａを通過するために要する時間と、音信号がスレーブアンプの出力部１７ｂを通過するために要する時間との差は通常無視できる程度に小さいものとしたが、その差が無視できない程度に大きい場合、例えばマスタアンプが、その通過に要する時間を示す時間データをＡＶアンプ毎に予め記憶し、もしくは外部の装置から取得し、それらの時間データに示される時間をも考慮して、ディレイタイムＤＴxaおよびＤＴxbの算出を行う構成が採用されてもよい。
【０１１５】
また、上述した実施形態においては、音信号発生装置３から出力される音信号は５．１チャンネルの音信号であるものとしたが、マスタアンプが取得する音信号のチャンネル数はいずれのチャンネル数であってもよい。また、上述した実施形態において用いられるスピーカシステムのチャンネル数もまた、５．１チャンネルに限られず、他の様々なチャンネル数のスピーカシステムが本発明において採用可能である。
【０１１６】
また、上述した実施形態において示したマスタアンプとスレーブアンプとの間の各種信号の入出力に用いる信号線の種類は例示であって、十分な伝送速度が得られる限り、他の種類の信号線が用いられてもよい。例えば、制御信号の入出力において、ＨＤＭＩケーブル８１内の信号線のうち信号線ＬＮCECを用いる代わりに、信号線ＬＮARCや信号線ＬＮTMDSを用いてもよい。また、マスタアンプがスレーブアンプの機種ＩＤを取得するために、ＨＤＭＩケーブル８１ｂが備えるＤＤＣ（Display Data Channel）信号線ＬＮDDC（ＥＤＩＤの伝送に利用される信号線）を用いてスレーブアンプのＥＤＩＤを受信してもよい。
【０１１７】
また、上記した実施形態においては、音信号発生装置３とマスタアンプ、およびマスタアンプとスレーブアンプとの間の信号の伝送はＨＤＭＩ規格に従い行われるものとしたが、これらの音響装置間の信号の伝送方式はＨＤＭＩ規格に従ったものに限られず、他の規格に従った伝送方式が採用されてもよい。
【０１１８】
また、上述した第１〜第３実施形態において、マスタアンプにおいて行われる遅延処理ＺＸａは音響処理ＺＥａの後に行われるものとしたが、遅延処理ＺＸａは音響処理ＺＥａの前に行われてもよい。同様に、上述した第３実施形態において、ＡＶアンプ２０４ｂにおいて行われる遅延処理ＺＸｂ’は音響処理ＺＥｂの前に行われてもよい。
【０１１９】
また、上述した実施形態においては、マスタアンプにおいて必要に応じてデコード処理ＺＤの実行された音信号の一部がマスタアンプによる音響処理を施されることなくスレーブアンプに送信される構成が採用されているが、例えばマスタアンプにおいて音響処理ＺＥａの一部もしくは全部を行った後の音信号の一部もしくは全部をマスタアンプがスレーブアンプに送信する構成が採用されてもよい。また、音信号発生装置３からマスタアンプに入力される音信号がエンコードされている場合、マスタアンプがデコード処理ＺＤを行う前のエンコードされた音信号をスレーブアンプに送信し、スレーブアンプにおいて、マスタアンプと並列的にデコード処理が行われる構成が採用されてもよい。
【０１２０】
それらの場合、遅延処理のディレイタイムを特定するために所要時間を比較すべき処理の内容が上述した実施形態と異なるものとなる。例えば、マスタアンプからスレーブアンプに対し、音響処理ＺＥａの一部が施された音信号が送信される場合、時間Ｘａは、スレーブアンプに対し送信される音信号に施されない音響処理ＺＥａの部分に要する時間（デバイス処理時間ｚｅａの後半のみ）となる。
【０１２１】
また、マスタアンプからスレーブアンプに対し、デコード処理ＺＤが行われる前のエンコードされた音信号が送信される場合、時間Ｘｂにデコードのためのデバイス処理時間が加算されることになる。
【０１２２】
上記のように、マスタアンプとスレーブアンプの音信号に対する処理の分担は様々に変更可能であり、それに応じてディレイタイムの特定のために比較すべき時間Ｘａおよび時間Ｘｂ（もしくは時間Ｘｂ’）は異なり得る。要すれば、マスタアンプの総デバイス処理時間とスレーブアンプの総デバイス処理時間との差に起因する音信号のスピーカへの出力タイミングのずれが解消するように、制御部１１ａにより遅延処理のディレイタイムが決定される限り、どの処理のためのデバイス処理時間が比較対象とされてもよい。
【０１２３】
また、上述した実施形態においては、スピーカ１Ｃ、スピーカ１Ｌ、スピーカ１Ｒおよびサブウーファ１ＳＷがマスタアンプに接続され、マスタアンプはそれらのスピーカに応じたチャンネルの音信号を処理し、スピーカＬＳおよびスピーカＲＳがスレーブアンプに接続され、スレーブアンプはそれらのスピーカに応じたチャンネルの音信号を処理するものとしたが、いずれのスピーカがマスタアンプおよびスレーブアンプのいずれに接続されるか、またいずれの音信号がマスタアンプおよびスレーブアンプのいずれにより処理されるかは任意に変更可能である。
【０１２４】
また、上述した実施形態の説明においては、マスタアンプおよびスレーブアンプのオーディオ出力端子にはスピーカが接続されているものとしたが、マスタアンプおよびスレーブアンプのオーディオ出力端子に接続される音響装置はスピーカに限られない。例えば、図１２は、第１実施形態にかかる音響システム５０において、ＡＶアンプ４ａのオーディオ出力端子６ａ−２および６ａ−３にスピーカ１Ｌおよびスピーカ１Ｒを接続する代わりに、プリメインアンプ４０のオーディオ入力端子（図示略）を接続した例を示した図である。この例において、スピーカ１Ｌおよびスピーカ１Ｒは、プリメインアンプ４０のオーディオ出力端子（図示略）に各々接続されている。
【０１２５】
図１２に示した例において、ＡＶアンプ４ａの出力部１７ａは、スピーカ１Ｃもしくはサブウーファ１ＳＷが接続されているオーディオ出力端子６ａ−１および６ａ−４に対しては、必要に応じてスピーカ駆動レベルへの増幅を行なった後、音信号の出力を行なう。一方、出力部１７ａは、プリメインアンプ４０が接続されているオーディオ出力端子６ａ−２および６ａ−３に対しては、増幅を行なうことなく音信号の出力を行なう。プリメインアンプ４０は、ＡＶアンプ４ａから入力された音信号をスピーカ駆動レベルへ増幅した後、スピーカ１Ｌおよびスピーカ１Ｒに各々出力する。その結果、音信号がプリメインアンプ４０を通過するために要する時間が十分に短い限り、視聴者ＬＳＮにとって望ましい音場が作り上げられる。
【０１２６】
このように、本発明にかかるマスタアンプおよびスレーブアンプのオーディオ出力端子に接続される音響装置は如何なる種別の音響装置でもよく、それらの音響装置に対する音信号の出力タイミングが調整される結果、それらの音響装置を音信号が通過するために要する時間の差が十分に短い限り、視聴者ＬＳＮにとって望ましい音場が作り上げられる。
【０１２７】
また、上述した実施形態においては、マスタアンプとともに１台のスレーブアンプが連係動作する場合につき説明したが、マスタアンプとともに複数のスレーブアンプが連係動作する場合にも本発明は適用可能である。
【０１２８】
また、上述した実施形態においては、マスタアンプとスレーブアンプが行う音響処理としてシネマモード、ナイトシネマモード、テレビモード、ゲームモード、ミュージックモードといった再生モードに応じた音響処理を例示したが、それらはあくまでマスタアンプおよびスレーブアンプにおいて行われる音響処理の一例であって、他の如何なる音響処理がマスタアンプおよびスレーブアンプにおいて行われてもよい。
【０１２９】
また、上述した実施形態においては、マスタアンプにおいてデコーダ用のＤＳＰ１５ａとポストプロセッサ用のＤＳＰ１６ａが区分されている構成が採用されているが、それらは一体であってもよい。すなわち、同じＤＳＰもしくはＤＳＰ群がデコーダおよびポストプロセッサの機能を果たしてもよい。また、例えばデコーダ用のＤＳＰ１５ａがデコーダ処理ＺＤのみを行い、遅延処理ＺＸｂを行うための個別のＤＳＰを設けるなど、ＤＳＰもしくはＤＳＰ群をどのように区分し、それらのＤＳＰもしくはＤＳＰ群にどのような処理を割り当てるかは任意に変更可能である。
【符号の説明】
【０１３０】
３…音信号発生装置、４…ＡＶアンプ、５…ビデオ出力端子、６…オーディオ出力端子、７…ＨＤＭＩ入力端子、８…ＨＤＭＩ出力端子、９…ＨＤＭＩ出力端子、１０…オーディオ入力端子、１１…制御部、１２…記憶部、１３…ＨＤＭＩレシーバ、１４…ＨＤＭＩトランスミッタ、１５…ＤＳＰ、１６…ＤＳＰ、１７…出力部、１８…入力部、４０…プリメインアンプ、５０…音響システム、８０…記録媒体、８１…ＨＤＭＩケーブル、９０…居室、９１…テレビ、１０４…ＡＶアンプ、１５０…音響システム、２０４…ＡＶアンプ、２５０…音響システム、３０１…マイク、３０４…ＡＶアンプ、３０６…オーディオ入力端子、３５０…音響システム
【図１】
2014027531.tif 000003
【図２】
2014027531.tif 000004
【図３】
2014027531.tif 000005
【図４】
2014027531.tif 000006
【図５】
2014027531.tif 000007
【図６】
2014027531.tif 000008
【図７】
2014027531.tif 000009
【図８】
2014027531.tif 000010
【図９】
2014027531.tif 000011
【図１０】
2014027531.tif 000012
【図１１】
2014027531.tif 000013
【図１２】
2014027531.tif 000014